【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
１画素につき複数のコンポーネントデータを有する１以上のアクセスユニットから構成される入力データのうちの、所定の１つのアクセスユニットを処理対象に設定し、処理対象の前記アクセスユニットを１以上のブロックに分割する分割手段と、
前記分割手段により分割された１以上の前記ブロックのそれぞれを１以上の分析対象のそれぞれに設定し、１以上の分析対象毎に複数の前記コンポーネントデータを対象とする主成分分析を行うことで、複数の前記コンポーネントデータの表現形式を変換するための基底を分析対象毎に個別に生成する分析手段と、
前記分割手段により分割された１以上の前記ブロックのそれぞれを処理対象に１つずつ順次設定し、前記分析手段により生成された１以上の分析対象毎の前記基底のうちの所定の１つを利用して、処理対象の前記ブロックを構成する画素毎の複数の前記コンポーネントデータのそれぞれの表現形式を変換する変換手段と
を備えることを特徴とするデータ変換装置。
【請求項２】
前記入力データに対してアナログ歪みを生じさせるアナログ歪み生成手段
をさらに備えることを特徴とする請求項１に記載のデータ変換装置。
【請求項３】
前記変換手段は、さらに、処理対象の前記ブロックについて、それぞれの表現形式が変換された画素毎の複数の前記コンポーネントデータからなるデータ群を、所定の単位毎に符号化する
ことを特徴とする請求項１に記載のデータ変換装置。
【請求項４】
前記分割手段により分割された１以上の前記ブロックのそれぞれを処理対象に１つずつ順次設定し、処理対象の前記ブロックに対応するM個（Mは１以上の整数値）の画素毎に、対応する画素のN個（Nは２以上の整数値）の前記コンポーネントデータの値を各成分値として有するN次元の第１のベクトルを個別に生成するベクトル化手段をさらに備え、
前記分析手段は、分析対象の前記ブロックについて、分析対象の前記ブロックが処理対象とされたときに前記ベクトル化手段により生成されたM個の前記第１のベクトルを対象とする主成分分析を行うことで、分析対象の前記ブロックについての前記基底を生成する
ことを特徴とする請求項１に記載のデータ変換装置。
【請求項５】
前記変換手段は、処理対象の前記ブロックについて、N個の前記コンポーネントデータのそれぞれを軸とする第１の座標系で表現される前記第１のベクトルのうちの、処理対象の前記ブロックについてのM個の前記第１のベクトルのそれぞれを、処理対象の前記ブロックが分析対象とされたときに前記分析手段により生成された前記基底を軸とする第２の座標系で表現されるM個の第２のベクトルのそれぞれに変換する
ことを特徴とする請求項４に記載のデータ変換装置。
【請求項６】
前記変換手段は、さらに、処理対象の前記ブロックについて、M個の前記第２のベクトルからなるデータ群を所定の単位毎に符号化する
ことを特徴とする請求項５に記載のデータ変換装置。
【請求項７】
複数の前記コンポーネントデータは、対応する画素についての赤の輝度レベルを示す第１の画素データと、対応する前記画素についての緑の輝度レベルを示す第２の画素データと、対応する前記画素についての青の輝度レベルを示す第３の画素データとを含む
ことを特徴とする請求項１に記載のデータ変換装置。
【請求項８】
１画素につき複数のコンポーネントデータを有する１以上のアクセスユニットから構成される入力データのうちの少なくとも一部の表現形式を変換するデータ変換装置のデータ変換方法であって、
前記入力データのうちの所定の１つのアクセスユニットを処理対象に設定し、処理対象の前記アクセスユニットを１以上のブロックに分割する分割ステップと、
前記分割ステップの処理により分割された１以上の前記ブロックのそれぞれを１以上の分析対象のそれぞれに設定し、１以上の分析対象毎に複数の前記コンポーネントデータを対象とする主成分分析を行うことで、複数の前記コンポーネントデータの表現形式を変換するための基底を分析対象毎に個別に生成する分析ステップと、
前記分割ステップの処理により分割された１以上の前記ブロックのそれぞれを処理対象に１つずつ順次設定し、前記分析ステップの処理により生成された１以上の分析対象毎の前記基底のうちの所定の１つを利用して、処理対象の前記ブロックを構成する画素毎の複数の前記コンポーネントデータのそれぞれの表現形式を変換する変換ステップと
を含むことを特徴とするデータ変換方法。
【請求項９】
１画素につき複数のコンポーネントデータを有する１以上のアクセスユニットから構成される入力データのうちの少なくとも一部の表現形式を変換するデータ変換処理を制御するコンピュータに実行させるプログラムであって、
前記入力データのうちの所定の１つのアクセスユニットを処理対象に設定し、処理対象の前記アクセスユニットを１以上のブロックに分割する分割ステップと、
前記分割ステップの処理により分割された１以上の前記ブロックのそれぞれを１以上の分析対象のそれぞれに設定し、１以上の分析対象毎に複数の前記コンポーネントデータを対象とする主成分分析を行うことで、複数の前記コンポーネントデータの表現形式を変換するための基底を分析対象毎に個別に生成する分析ステップと、
前記分割ステップの処理により分割された１以上の前記ブロックのそれぞれを処理対象に１つずつ順次設定し、前記分析ステップの処理により生成された１以上の分析対象毎の前記基底のうちの所定の１つを利用して、処理対象の前記ブロックを構成する画素毎の複数の前記コンポーネントデータのそれぞれの表現形式を変換する変換ステップと
を含むプログラムを記録していることを特徴とする記録媒体。
【請求項１０】
１画素につき複数のコンポーネントデータを有する１以上のアクセスユニットから構成される入力データのうちの少なくとも一部の表現形式を変換するデータ変換処理を制御するコンピュータに実行させるプログラムであって、
前記入力データのうちの所定の１つのアクセスユニットを処理対象に設定し、処理対象の前記アクセスユニットを１以上のブロックに分割する分割ステップと、
前記分割ステップの処理により分割された１以上の前記ブロックのそれぞれを１以上の分析対象のそれぞれに設定し、１以上の分析対象毎に複数の前記コンポーネントデータを対象とする主成分分析を行うことで、複数の前記コンポーネントデータの表現形式を変換するための基底を分析対象毎に個別に生成する分析ステップと、
前記分割ステップの処理により分割された１以上の前記ブロックのそれぞれを処理対象に１つずつ順次設定し、前記分析ステップの処理により生成された１以上の分析対象毎の前記基底のうちの所定の１つを利用して、処理対象の前記ブロックを構成する画素毎の複数の前記コンポーネントデータのそれぞれの表現形式を変換する変換ステップと
を含むことを特徴とするプログラム。
【請求項１１】
１画素につき複数のコンポーネントデータを有する１以上の第１のアクセスユニットから構成される元データのうちの、所定の１つの第１のアクセスユニットが処理対象に設定され、処理対象の前記第１のアクセスユニットが１以上のブロックに分割され、
分割された１以上の前記ブロックのそれぞれが１以上の分析対象のそれぞれに設定され、１以上の分析対象毎に複数の前記コンポーネントデータを対象とする主成分分析が行われることで、複数の前記コンポーネントデータの表現形式を変換するための基底が分析対象毎に個別に生成され、
分割された１以上の前記ブロックのそれぞれが処理対象に１つずつ順次設定され、生成された１以上の分析対象毎の前記基底のうちの所定の１つを利用して、処理対象の前記ブロックを構成する画素毎の複数の前記コンポーネントデータのそれぞれの表現形式が変換され、その結果、表現形式が変換された画素毎の複数の前記コンポーネントから構成される第２のアクセスユニットが生成され、
生成された前記第２のアクセスユニットに対して、その生成に利用された前記基底が重畳されたデータが、入力データのうちの少なくとも一部として入力されるデータ逆変換装置であって、
前記入力データから、前記第２のアクセスユニットと前記基底とを分離する分離手段と、
前記分離手段により前記入力データから分離された前記基底を利用して、前記分離手段により前記入力データから分離された前記第２のアクセスユニットを構成する画素毎の複数の前記コンポーネントデータの表現形式を逆変換する逆変換手段と
を備えることを特徴とするデータ逆変換装置。
【請求項１２】
１画素につき複数のコンポーネントデータを有する１以上の第１のアクセスユニットから構成される元データのうちの、所定の１つの第１のアクセスユニットが処理対象に設定され、処理対象の前記第１のアクセスユニットが１以上のブロックに分割され、
分割された１以上の前記ブロックのそれぞれが１以上の分析対象のそれぞれに設定され、１以上の分析対象毎に複数の前記コンポーネントデータを対象とする主成分分析が行われることで、複数の前記コンポーネントデータの表現形式を変換するための基底が分析対象毎に個別に生成され、
分割された１以上の前記ブロックのそれぞれが処理対象に１つずつ順次設定され、生成された１以上の分析対象毎の前記基底のうちの所定の１つを利用して、処理対象の前記ブロックを構成する画素毎の複数の前記コンポーネントデータのそれぞれの表現形式が変換され、その結果、表現形式が変換された画素毎の複数の前記コンポーネントから構成される第２のアクセスユニットが生成され、
生成された前記第２のアクセスユニットに対して、その生成に利用された前記基底が重畳されたデータが、入力データのうちの少なくとも一部として入力されるデータ逆変換装置のデータ逆変換方法であって、
前記入力データから、前記第２のアクセスユニットと前記基底とを分離する分離ステップと、
前記分離ステップの処理により前記入力データから分離された前記基底を利用して、前記分離ステップの処理により前記入力データから分離された前記第２のアクセスユニットを構成する画素毎の複数の前記コンポーネントデータの表現形式を逆変換する逆変換ステップと
を含むことを特徴とするデータ逆変換方法。
【請求項１３】
１画素につき複数のコンポーネントデータを有する１以上の第１のアクセスユニットから構成される元データのうちの、所定の１つの第１のアクセスユニットが処理対象に設定され、処理対象の前記第１のアクセスユニットが１以上のブロックに分割され、
分割された１以上の前記ブロックのそれぞれが１以上の分析対象のそれぞれに設定され、１以上の分析対象毎に複数の前記コンポーネントデータを対象とする主成分分析が行われることで、複数の前記コンポーネントデータの表現形式を変換するための基底が分析対象毎に個別に生成され、
分割された１以上の前記ブロックのそれぞれが処理対象に１つずつ順次設定され、生成された１以上の分析対象毎の前記基底のうちの所定の１つを利用して、処理対象の前記ブロックを構成する画素毎の複数の前記コンポーネントデータのそれぞれの表現形式が変換され、その結果、表現形式が変換された画素毎の複数の前記コンポーネントから構成される第２のアクセスユニットが生成され、
生成された前記第２のアクセスユニットに対して、その生成に利用された前記基底が重畳されたデータが、入力データのうちの少なくとも一部として入力される装置を制御するコンピュータに実行させるプログラムであって、
前記入力データから、前記第２のアクセスユニットと前記基底とを分離する分離ステップと、
前記分離ステップの処理により前記入力データから分離された前記基底を利用して、前記分離ステップの処理により前記入力データから分離された前記第２のアクセスユニットを構成する画素毎の複数の前記コンポーネントデータの表現形式を逆変換する逆変換ステップと
を含むプログラムを記録していることを特徴とする記録媒体。
【請求項１４】
１画素につき複数のコンポーネントデータを有する１以上の第１のアクセスユニットから構成される元データのうちの、所定の１つの第１のアクセスユニットが処理対象に設定され、処理対象の前記第１のアクセスユニットが１以上のブロックに分割され、
分割された１以上の前記ブロックのそれぞれが１以上の分析対象のそれぞれに設定され、１以上の分析対象毎に複数の前記コンポーネントデータを対象とする主成分分析が行われることで、複数の前記コンポーネントデータの表現形式を変換するための基底が分析対象毎に個別に生成され、
分割された１以上の前記ブロックのそれぞれが処理対象に１つずつ順次設定され、生成された１以上の分析対象毎の前記基底のうちの所定の１つを利用して、処理対象の前記ブロックを構成する画素毎の複数の前記コンポーネントデータのそれぞれの表現形式が変換され、その結果、表現形式が変換された画素毎の複数の前記コンポーネントから構成される第２のアクセスユニットが生成され、
生成された前記第２のアクセスユニットに対して、その生成に利用された前記基底が重畳されたデータが、入力データのうちの少なくとも一部として入力される装置を制御するコンピュータに実行させるプログラムであって、
前記入力データから、前記第２のアクセスユニットと前記基底とを分離する分離ステップと、
前記分離ステップの処理により前記入力データから分離された前記基底を利用して、前記分離ステップの処理により前記入力データから分離された前記第２のアクセスユニットを構成する画素毎の複数の前記コンポーネントデータの表現形式を逆変換する逆変換ステップと
を含むことを特徴とするプログラム。
【請求項１５】
１画素につき複数のコンポーネントデータを有する１以上のアクセスユニットから構成される元データのうちの、所定の１つのアクセスユニットが処理対象に設定され、処理対象の前記アクセスユニットが１以上のブロックに分割され、
分割された１以上の前記ブロックのそれぞれが１以上の分析対象のそれぞれに設定され、１以上の分析対象毎に複数の前記コンポーネントデータを対象とする主成分分析が行われることで、複数の前記コンポーネントデータの表現形式を変換するための基底が分析対象毎に個別に生成され、
分割された１以上の前記ブロックのそれぞれが処理対象に１つずつ順次設定され、生成された１以上の分析対象毎の前記基底のうちの所定の１つを利用して、処理対象の前記ブロックを構成する画素毎の複数の前記コンポーネントデータのそれぞれの表現形式が変換され、その結果、表現形式が変換された画素毎の複数の前記コンポーネントからなるデータ群が所定の単位毎に符号化され、その結果、１以上の前記ブロックのそれぞれに対応する１以上の符号化データのそれぞれが得られ、
１以上の前記符号化データのそれぞれに対して、それぞれの生成に利用された前記基底が対応付けられて重畳されたデータが、入力データのうちの少なくとも一部として入力されるデータ逆変換装置であって、
前記入力データから、１以上の前記符号化データのそれぞれと、それぞれに対応付けられた前記基底のそれぞれとを分離する分離手段と、
前記分離手段により前記入力データから分離された１以上の前記符号化データのそれぞれを処理対象に１つずつ順次設定し、処理対象の前記符号化データを復号し、その結果得られる前記データ群を構成する画素毎の複数の前記コンポーネントデータの表現形式を、前記分離手段により前記入力データから分離された前記基底のうちの処理対象の前記符号化データに対応付けられた基底を利用して逆変換する逆変換手段と
を備えることを特徴とするデータ逆変換装置。
【請求項１６】
前記元データにはアナログ歪みが生じている
ことを特徴とする請求項１５に記載のデータ逆変換装置。
【請求項１７】
さらに、１以上の前記ブロックのそれぞれが処理対象に１つずつ順次設定され、処理対象の前記ブロックに対応するM個（Mは１以上の整数値）の画素毎に、対応する画素のN個（Nは２以上の整数値）の前記コンポーネントデータの値を各成分値として有するN次元の第１のベクトルが個別に生成され、
分析対象の前記ブロックについて、分析対象の前記ブロックが処理対象とされたときに生成されたM個の前記第１のベクトルを対象とする主成分分析が行われることで、分析対象の前記ブロックについての前記基底が生成され、
処理対象の前記ブロックについて、N個の前記コンポーネントデータのそれぞれを軸とする第１の座標系で表現される前記第１のベクトルのうちの、処理対象の前記ブロックについてのM個の前記第１のベクトルのそれぞれが、処理対象の前記ブロックが分析対象とされたときに前記分析手段により生成された前記基底を軸とする第２の座標系で表現されるM個の第２のベクトルのそれぞれに変換され、M個の前記第２のベクトルからなるデータ群が所定の単位毎に符号化され、その結果、その結果、１以上の前記ブロックのそれぞれに対応する１以上の符号化データのそれぞれが得られ、
１以上の前記符号化データのそれぞれに対して、それぞれの生成に利用された前記基底が対応付けられて重畳されたデータが、入力データのうちの少なくとも一部として入力され、
前記逆変換手段は、
処理対象の前記符号化データを復号し、その結果得られる前記データ群を構成するM個の前記第２のベクトルのそれぞれを、処理対象の前記符号化データに対応付けられた前記基底を利用して、M個の前記第１のベクトルのそれぞれに逆変換する
ことを特徴とする請求項１５に記載のデータ逆変換装置。
【請求項１８】
複数の前記コンポーネントデータは、対応する画素についての赤の輝度レベルを示す第１の画素データと、対応する前記画素についての緑の輝度レベルを示す第２の画素データと、対応する前記画素についての青の輝度レベルを示す第３の画素データとを含む
ことを特徴とする請求項１５に記載のデータ逆変換装置。
【請求項１９】
１画素につき複数のコンポーネントデータを有する１以上のアクセスユニットから構成される元データのうちの、所定の１つのアクセスユニットが処理対象に設定され、処理対象の前記アクセスユニットが１以上のブロックに分割され、
分割された１以上の前記ブロックのそれぞれが１以上の分析対象のそれぞれに設定され、１以上の分析対象毎に複数の前記コンポーネントデータを対象とする主成分分析が行われることで、複数の前記コンポーネントデータの表現形式を変換するための基底が分析対象毎に個別に生成され、
分割された１以上の前記ブロックのそれぞれが処理対象に１つずつ順次設定され、生成された１以上の分析対象毎の前記基底のうちの所定の１つを利用して、処理対象の前記ブロックを構成する画素毎の複数の前記コンポーネントデータのそれぞれの表現形式が変換され、その結果、表現形式が変換された画素毎の複数の前記コンポーネントからなるデータ群が所定の単位毎に符号化され、その結果、１以上の前記ブロックのそれぞれに対応する１以上の符号化データのそれぞれが得られ、
１以上の前記符号化データのそれぞれに対して、それぞれの生成に利用された前記基底が対応付けられて重畳されたデータが、入力データのうちの少なくとも一部として入力されるデータ逆変換装置のデータ逆変換方法であって、
前記入力データから、１以上の前記符号化データのそれぞれと、それぞれに対応付けられた前記基底のそれぞれとを分離する分離ステップと、
前記分離ステップの処理により前記入力データから分離された１以上の前記符号化データのそれぞれを処理対象に１つずつ順次設定し、処理対象の前記符号化データを復号し、その結果得られる前記データ群を構成する画素毎の複数の前記コンポーネントデータの表現形式を、前記分離ステップの処理により前記入力データから分離された前記基底のうちの処理対象の前記符号化データに対応付けられた基底を利用して逆変換する逆変換ステップと
を含むことを特徴とするデータ逆変換方法。
【請求項２０】
１画素につき複数のコンポーネントデータを有する１以上のアクセスユニットから構成される元データのうちの、所定の１つのアクセスユニットが処理対象に設定され、処理対象の前記アクセスユニットが１以上のブロックに分割され、
分割された１以上の前記ブロックのそれぞれが１以上の分析対象のそれぞれに設定され、１以上の分析対象毎に複数の前記コンポーネントデータを対象とする主成分分析が行われることで、複数の前記コンポーネントデータの表現形式を変換するための基底が分析対象毎に個別に生成され、
分割された１以上の前記ブロックのそれぞれが処理対象に１つずつ順次設定され、生成された１以上の分析対象毎の前記基底のうちの所定の１つを利用して、処理対象の前記ブロックを構成する画素毎の複数の前記コンポーネントデータのそれぞれの表現形式が変換され、その結果、表現形式が変換された画素毎の複数の前記コンポーネントからなるデータ群が所定の単位毎に符号化され、その結果、１以上の前記ブロックのそれぞれに対応する１以上の符号化データのそれぞれが得られ、
１以上の前記符号化データのそれぞれに対して、それぞれの生成に利用された前記基底が対応付けられて重畳されたデータが、入力データのうちの少なくとも一部として入力されるデータ逆変換装置のデータ逆変換方法であって、
前記入力データから、１以上の前記符号化データのそれぞれと、それぞれに対応付けられた前記基底のそれぞれとを分離する分離ステップと、
前記分離ステップの処理により前記入力データから分離された１以上の前記符号化データのそれぞれを処理対象に１つずつ順次設定し、処理対象の前記符号化データを復号し、その結果得られる前記データ群を構成する画素毎の複数の前記コンポーネントデータの表現形式を、前記分離ステップの処理により前記入力データから分離された前記基底のうちの処理対象の前記符号化データに対応付けられた基底を利用して逆変換する逆変換ステップと
を含むプログラムを記録していることを特徴とする記録媒体。
【請求項２１】
１画素につき複数のコンポーネントデータを有する１以上のアクセスユニットから構成される元データのうちの、所定の１つのアクセスユニットが処理対象に設定され、処理対象の前記アクセスユニットが１以上のブロックに分割され、
分割された１以上の前記ブロックのそれぞれが１以上の分析対象のそれぞれに設定され、１以上の分析対象毎に複数の前記コンポーネントデータを対象とする主成分分析が行われることで、複数の前記コンポーネントデータの表現形式を変換するための基底が分析対象毎に個別に生成され、
分割された１以上の前記ブロックのそれぞれが処理対象に１つずつ順次設定され、生成された１以上の分析対象毎の前記基底のうちの所定の１つを利用して、処理対象の前記ブロックを構成する画素毎の複数の前記コンポーネントデータのそれぞれの表現形式が変換され、その結果、表現形式が変換された画素毎の複数の前記コンポーネントからなるデータ群が所定の単位毎に符号化され、その結果、１以上の前記ブロックのそれぞれに対応する１以上の符号化データのそれぞれが得られ、
１以上の前記符号化データのそれぞれに対して、それぞれの生成に利用された前記基底が対応付けられて重畳されたデータが、入力データのうちの少なくとも一部として入力されるデータ逆変換装置のデータ逆変換方法であって、
前記入力データから、１以上の前記符号化データのそれぞれと、それぞれに対応付けられた前記基底のそれぞれとを分離する分離ステップと、
前記分離ステップの処理により前記入力データから分離された１以上の前記符号化データのそれぞれを処理対象に１つずつ順次設定し、処理対象の前記符号化データを復号し、その結果得られる前記データ群を構成する画素毎の複数の前記コンポーネントデータの表現形式を、前記分離ステップの処理により前記入力データから分離された前記基底のうちの処理対象の前記符号化データに対応付けられた基底を利用して逆変換する逆変換ステップと
を含むことを特徴とするプログラム。
【請求項２２】
画像データの表現形式を変換する変換部と、前記画像データの、前記変換部により変換された表現形式を逆変換する逆変換部とを構成要素として含む情報処理システムにおいて、
前記変換部は、
１画素につき複数のコンポーネントデータを有する１以上のアクセスユニットから構成される画像データが入力データとして入力され、前記入力データのうちの所定の１つのアクセスユニットを処理対象に設定し、処理対象の前記アクセスユニットを１以上のブロックに分割する分割手段と、
前記分割手段により分割された１以上の前記ブロックのそれぞれを１以上の分析対象のそれぞれに設定し、１以上の分析対象毎に複数の前記コンポーネントデータを対象とする主成分分析を行うことで、複数の前記コンポーネントデータの表現形式を変換するための基底を分析対象毎に個別に生成する分析手段と、
前記分割手段により分割された１以上の前記ブロックのそれぞれを処理対象に１つずつ順次設定し、前記分析手段により生成された１以上の分析対象毎の前記基底のうちの所定の１つを利用して、処理対象の前記ブロックを構成する画素毎の複数の前記コンポーネントデータのそれぞれの表現形式を変換する変換手段と
を有する
ことを特徴とする情報処理システム。
【請求項２３】
画像データの表現形式を変換する変換部と、前記画像データの、前記変換部により変換された表現形式を逆変換する逆変換部とを構成要素として含む情報処理システムにおいて、
前記変換部、または、前記変換部以外の装置により、
１画素につき複数のコンポーネントデータを有する１以上の第１のアクセスユニットから構成される元データのうちの、所定の１つの第１のアクセスユニットが処理対象に設定され、処理対象の前記第１のアクセスユニットが１以上のブロックに分割され、
分割された１以上の前記ブロックのそれぞれが１以上の分析対象のそれぞれに設定され、１以上の分析対象毎に複数の前記コンポーネントデータを対象とする主成分分析が行われることで、複数の前記コンポーネントデータの表現形式を変換するための基底が分析対象毎に個別に生成され、
分割された１以上の前記ブロックのそれぞれが処理対象に１つずつ順次設定され、生成された１以上の分析対象毎の前記基底のうちの所定の１つを利用して、処理対象の前記ブロックを構成する画素毎の複数の前記コンポーネントデータのそれぞれの表現形式が変換され、その結果、表現形式が変換された画素毎の複数の前記コンポーネントから構成される第２のアクセスユニットが生成され、
生成された前記第２のアクセスユニットに対して、その生成に利用された前記基底が重畳されたデータが、入力データのうちの少なくとも一部として前記逆変換部に入力され、
前記逆変換部は、
前記入力データから、前記第２のアクセスユニットと前記基底とを分離する分離手段と、
前記分離手段により前記入力データから分離された前記基底を利用して、前記分離手段により前記入力データから分離された前記第２のアクセスユニットを構成する画素毎の複数の前記コンポーネントデータの表現形式を逆変換する逆変換手段と
を有する
ことを特徴とする情報処理システム。
【請求項２４】
画像データの表現形式を変換する変換部と、前記画像データの、前記変換部により変換された表現形式を逆変換する逆変換部とを構成要素として含む情報処理システムにおいて、
前記変換部、または、前記変換部以外の装置により、
１画素につき複数のコンポーネントデータを有する１以上のアクセスユニットから構成される元データのうちの、所定の１つのアクセスユニットが処理対象に設定され、処理対象の前記アクセスユニットが１以上のブロックに分割され、
分割された１以上の前記ブロックのそれぞれが１以上の分析対象のそれぞれに設定され、１以上の分析対象毎に複数の前記コンポーネントデータを対象とする主成分分析が行われることで、複数の前記コンポーネントデータの表現形式を変換するための基底が分析対象毎に個別に生成され、
分割された１以上の前記ブロックのそれぞれが処理対象に１つずつ順次設定され、生成された１以上の分析対象毎の前記基底のうちの所定の１つを利用して、処理対象の前記ブロックを構成する画素毎の複数の前記コンポーネントデータのそれぞれの表現形式が変換され、その結果、表現形式が変換された画素毎の複数の前記コンポーネントからなるデータ群が所定の単位毎に符号化され、その結果、１以上の前記ブロックのそれぞれに対応する１以上の符号化データのそれぞれが得られ、
１以上の前記符号化データのそれぞれに対して、それぞれの生成に利用された前記基底が対応付けられて重畳されたデータが、入力データのうちの少なくとも一部として前記逆変換部に入力され、
前記逆変換部は、
前記入力データから、１以上の前記符号化データのそれぞれと、それぞれに対応付けられた前記基底のそれぞれとを分離する分離手段と、
前記分離手段により前記入力データから分離された１以上の前記符号化データのそれぞれを処理対象に１つずつ順次設定し、処理対象の前記符号化データを復号し、その結果得られる前記データ群を構成する画素毎の複数の前記コンポーネントデータの表現形式を、前記分離手段により前記入力データから分離された前記基底のうちの処理対象の前記符号化データに対応付けられた基底を利用して逆変換する逆変換手段と
を有する
ことを特徴とする情報処理システム。
【手続補正２】
【補正対象書類名】明細書
【補正対象項目名】発明の名称
【補正方法】変更
【補正の内容】
【発明の名称】データ変換装置および方法、データ逆変換装置および方法、情報処理システム、記録媒体、並びにプログラム
【手続補正３】
【補正対象書類名】明細書
【補正対象項目名】００２５
【補正方法】削除
【補正の内容】
【手続補正４】
【補正対象書類名】明細書
【補正対象項目名】００２６
【補正方法】削除
【補正の内容】
【手続補正５】
【補正対象書類名】明細書
【補正対象項目名】００２７
【補正方法】削除
【補正の内容】
【手続補正６】
【補正対象書類名】明細書
【補正対象項目名】００２８
【補正方法】削除
【補正の内容】
【手続補正７】
【補正対象書類名】明細書
【補正対象項目名】００２９
【補正方法】削除
【補正の内容】
【手続補正８】
【補正対象書類名】明細書
【補正対象項目名】００３０
【補正方法】削除
【補正の内容】
【手続補正９】
【補正対象書類名】明細書
【補正対象項目名】００４４
【補正方法】削除
【補正の内容】
【手続補正１０】
【補正対象書類名】明細書
【補正対象項目名】００４５
【補正方法】削除
【補正の内容】
【手続補正１１】
【補正対象書類名】明細書
【補正対象項目名】００４６
【補正方法】削除
【補正の内容】
【手続補正１２】
【補正対象書類名】明細書
【補正対象項目名】００５１
【補正方法】削除
【補正の内容】
【手続補正１３】
【補正対象書類名】明細書
【補正対象項目名】００５２
【補正方法】削除
【補正の内容】
【手続補正１４】
【補正対象書類名】明細書
【補正対象項目名】００５３
【補正方法】削除
【補正の内容】
【手続補正１５】
【補正対象書類名】明細書
【補正対象項目名】００５６
【補正方法】削除
【補正の内容】
【手続補正１６】
【補正対象書類名】明細書
【補正対象項目名】００５７
【補正方法】削除
【補正の内容】
【手続補正１７】
【補正対象書類名】明細書
【補正対象項目名】００５８
【補正方法】削除
【補正の内容】
【手続補正１８】
【補正対象書類名】明細書
【補正対象項目名】００６１
【補正方法】削除
【補正の内容】
【手続補正１９】
【補正対象書類名】明細書
【補正対象項目名】００６２
【補正方法】削除
【補正の内容】
【手続補正２０】
【補正対象書類名】明細書
【補正対象項目名】００６３
【補正方法】削除
【補正の内容】